(57)【特許請求の範囲】
【請求項１】
人が臀部を乗せて着座出来る大きさと厚みを有し、上部には、凹状に湾曲した座面部の前方中央が後方中央にかけて帯状に沈降し、座面部の前方には、側方から沈降部へ向かってなだらかに隆起する隆起部、隆起部の裾野付近には、前斜方へ向かってなだらかに傾斜する扇状の傾斜面を形成し、下部の中央には、凸状湾曲部、その延長線上の前後には、平面から成るストッパー部を形成した構成を有する事を特徴とする椅子用姿勢改善補助椅子。
【発明の詳細な説明】
【技術分野】
【０００１】椅子の上に置いて使用する座布団の様なもので、日常的に使用する事で、徐々に姿勢を改善する為の椅子用姿勢改善補助椅子に関する。
【背景技術】
【０００２】従来からある座布団は、臀部をソフトに支持する事が目的の素材や形状で構成されたものであり、脊柱の生理的湾曲を維持する事を目的として構成されたものではない。その為、平面座部の椅子の上に座布団を置いて、両足底を地面に付けて自然に着座した場合、骨盤は立位の骨盤の前湾に比べ後湾し易く、連動して尾骨、仙骨、脊柱も後湾する。その為、脊柱は生理的湾曲を失い、後湾した状態になり、体幹上体の加重は尾骨、坐骨周辺、下部の腰椎や椎間板、大腿部後側に掛かる為、腰や尾骨への負担が増加する。又、容易に足を組む姿勢に成り易い為、坐骨周辺に掛かる体幹上体の加重が不均衡の状態になり、骨格に歪みを生ずる可能性がある。【０００３】次に、上記と同じ条件で能動的に骨盤を前湾させて長時間着座した場合、男性生殖器は大腿部と座布団の狭間で圧迫を受ける。すると、パンツの内部では、精巣で精子が作られる最適温度３３℃よりも上昇する為、生殖能力が低下する可能性がある。又、陰茎が圧迫を受けると同時に尿道も圧迫される為、泌尿器系の問題を生ずる可能性もある。又、男性ばかりでなく、女性でも生殖器に対する圧迫により、圧痛を感じる人が存在する。
【発明の開示】
【発明が解決しようとする課題】
【０００４】この様な事から、本発明は椅子用姿勢改善補助椅子を使用して椅子に着座した場合、下肢の開脚を促し、生殖器への圧迫を緩和しながら骨盤の前湾を導き、尾骨、坐骨周辺、下部の腰椎や椎間板、大腿部後側に掛かる体幹上体の加重をバランス良く下肢へ分散する事で、下肢を鍛え、腰や尾骨へ掛かる負担を減らし、これを日常的に椅子の上に置いて使用し続ける事で、徐々に姿勢が改善出来る椅子用姿勢改善補助椅子を提供する事を課題とする。
【課題を解決する為の手段】
【０００５】本発明は、上記の課題を解決する考案を次の様に示す。凹状に湾曲させた座面部の前方中央を後方中央にかけて帯状に沈降させ、座面部の前方には、側方から沈降部へ向かってなだらかに隆起する隆起部を設ける。隆起部の裾野付近には、前斜方へ向かってなだらかなに傾斜する扇状の傾斜面を設ける。これらの構成要素を備えた座部を座部構成部とする。又、座部構成部の底面中央には凸状湾曲部を設け、凸状湾曲部の延長線上の前後には、平面から成る前方ストッパー部と、後方ストッパー部を設ける。これらの構成要素を備え、座部構成部を下から支えるものを、座部構成支持部とする。これらを結合させ一体型にし、全ての角に対する面取りを行い、全体的に丸みを持たせる。
【発明の効果】
【０００６】本発明の椅子用姿勢改善補助椅子を使用して椅子に着座した場合、下肢の開脚が促される為、足が組みづらくなる。又、生殖器への圧迫が軽減される為、生殖能力の低下、生殖器の圧痛、尿道への圧迫などを緩和する事が出来る。又、骨盤が前湾し、脊柱の生理的湾曲が導かれ、尾骨、坐骨周辺、下部の腰椎や椎間板、大腿部後側に掛かる体幹上体の加重が下肢へバランス良く分散される為、下肢が鍛えられ、同時に腰や尾骨へかかる負担を減らす事が出来る。又、椅子用姿勢改善補助椅子は、骨盤が後湾した状態にさせにくい構造になっている為、長時間脊柱が後湾した姿勢になる事を防止出来る。その結果、この椅子用姿勢改善補助椅子を日常的に椅子の上に置いて使用し続ける事で、徐々に姿勢を改善する事が出来る。
【発明を実施する為の最良の形態】
【０００７】図１（イ）（ロ）（ハ）は本発明の椅子用姿勢改善補助椅子を実施する一形態を示すものであり、人が腰を掛けて着座する部分の座部構成部１と、座部構成部１を下から支える座部構成支持部５を結合させ、一体型とした椅子用姿勢改善補助椅子ａである。（イ）は椅子用姿勢改善補助椅子ａ（ロ）のＡ−Ａ方向矢視断面図、（ロ）は椅子用姿勢改善補助椅子ａのＢ−Ｂ方向矢視断面図、（ハ）は椅子用姿勢改善補助椅子ａが前傾しきっている上方図である。又、以下の説明文中では、椅子用姿勢改善補助椅子を補助椅子と省略して記す事もある。
【０００８】座部構成部１は、ゴム、木材、スチール、プラスチック、樹脂、ダンボール、その他、座り心地が良く、やや硬めで可逆性のある素材から成り、座面部６は、臀部へのフィット感を高め、骨盤の前湾を導き易くし、着座する位置によって骨盤の前湾角度を選択出来る様にする為、後方から前方にかけておだやかに湾曲している。座面部６の湾曲の度合いは、年齢、個人、人種により立位の骨盤の前湾角度が微妙に異なる為、適宜変更可能とする。沈降部７は、生殖器と尾骨への圧迫を緩和する為、座面部の前方中央が後方中央にかけて帯状に沈降している。沈降部７の横幅や深さは、人それぞれ生殖器や尾骨の大きさが異なる為、適宜変更可能とする。隆起部１０は、大腿部内側の付け根付近を押さえて下肢の開脚を促し、体幹上体が前傾になり過ぎる事と、着座した位置がずれる事を防ぐ為、座面部の前方が、側方から沈降部７へ向かってなだらかに隆起している。隆起部１０の大きさや高さは、適宜変更可能とする。隆起部１０の裾野付近に在る大腿部後側乗部１１は、大腿部を前斜方へ傾斜させる事で、骨盤の前湾を導き易くし、体幹上体の加重をスムーズに下肢へ移行させる為のものであり、前斜方へ向かってなだらかなに傾斜する扇状の傾斜面である。大腿部後側乗部１１の傾斜開始点、傾斜角度、広さの度合いは、個人により臀部の大きさ、両坐骨間の幅、股関節の可動域、大腿部の大きさなどが異なる為、適宜変更可能とする。前縁部１２は、大腿部後側を通る神経や血管への圧迫を緩和させる為、おだやかに湾曲している。前方部１３、後方部１４、側面部１５は、座部構成部１から座部構成支持部５の底面に向かってなだらかに傾斜している。
【０００９】座部構成支持部５は、ゴム、木材、スチール、プラスチック、樹脂、ダンボール、その他、着座時に体幹上体の加重による変形が少ない硬質材から成り、底面湾曲部１６、前方ストッパー部１７、後方ストッパー部１８から構成されている。底面湾曲部１６は、骨盤を前後に湾曲させ易くする為、なだらかな凸状に湾曲している。但し、底面湾曲部１６の湾曲は、坐骨周辺に掛かる体幹上体の加重を均等に近づけ、左右の骨盤の高さを均等に導く為、前後方向にのみ湾曲し、左右方向には湾曲しない。その為、補助椅子ａは前後方向にのみ揺れ動く。底面湾曲部１６の湾曲の度合いは、適宜変更可能とする。前方ストッパー部１７は、底面湾曲部１６の延長線上の前方に在り、補助椅子ａや体幹上体が前傾し過ぎるのを防ぐ為の平面状のストッパー部である。後方ストッパー部１８は、底面湾曲部１６の延長線上の後方に在り、使用者が後方に転倒するのを防止する為の平面状のストッパー部である。基本的に前方ストッパー部１７と後方ストッパー部１８の形状は平面状であるが、使用する椅子座部の素材や形状により、形を適宜変更可能とする。
【００１０】図２（イ）（ロ）（ハ）は補助椅子ａを側方、前方、斜視方向から見た図であり、この様に描く事により、本発明を様々な角度から視覚的に理解する事が出来る。（イ）は補助椅子ａの側方図、（ロ）は補助椅子ａが前傾しきっている前方図、（ハ）は補助椅子ａが前傾しきっている斜視図である。
【００１１】図２（イ）から、座面部６のなだらかな湾曲と前方部１３が座面部６から前方ストッパー部１７へ、後方部１４が座面部６から後方ストッパー部１８へ向かって、なだらかに傾斜しているのが分かる。図２（ロ）から、前斜方へなだらかなに傾斜する大腿部後側乗部１１と、隆起部１０の位置と隆起の度合い、沈降部７の位置と横幅の度合いが分かる。図２（ハ）から、沈降部７が補助椅子ａの前方中央から後方中央にかけて帯状に沈降しているのが分かり、沈降部底面部８と沈降部側面部９から、沈降の度合いが分かる。
【００１２】図３（イ）は補助椅子ａが平面座部の椅子の上で前傾しきった時、補助椅子ａの座面部６上に在る点２１、２２、２３を頂点とする接線Ｅ、Ｆ、Ｇと平面座部の椅子の座面部２４との角度を側方より示した図である。
【００１３】補助椅子ａの座面部６上に在る点２１、２２、２３を頂点とする接線Ｅ、Ｆ、Ｇと平面座部の椅子の座面部２４との角度Ｘ、Ｙ、Ｚは、Ｘ＜Ｙ＜Ｚとなる。従って、脊柱や骨盤に障害のない使用者が、前傾しきった状態の補助椅子ａに着座した場合、骨盤の前湾角度は、着座する位置が後方にいくほど大きくなる。
【００１４】図４（イ）（ロ）（ハ）（ニ）（ホ）（ヘ）は補助椅子ａの使用例を示した図である。使用例を下記の様に説明する。
【００１５】本発明を使用する為の椅子２５は、座部２６が最低限補助椅子ａ分の座部２６面積が有り、後傾せずなるべく平面で、底面湾曲部１６の揺れが機能する硬さを有し、補助椅子ａを置いて着座した時、床に使用者２７の足底２８がしっかりと付く高さの椅子２５が良い。
【００１６】本発明の使用方法は、まず、補助椅子ａの前縁部１２を、着座する椅子２５の座部２６前縁部２９へ向けて置く。但し、補助椅子ａの前縁部１２が使用する椅子２５座部２６の前縁部２９を越えてはならない。使用者２７は図４（イ）の様にゆっくりと補助椅子ａの中央に臀部３０を乗せて着座し、下肢３１を閉じ、足底２８をしっかり地面に付けて、骨盤３２を前湾させる。（ニ）はその正面図である。この時、骨盤の前湾を小さくするには、（ロ）の様に臀部３０を補助椅子ａの前方へ移動して骨盤３３を前湾させる。又、骨盤の前湾を大きくするには、（ハ）の様に臀部３０を補助椅子ａの後方に移動して骨盤３４を前湾させる。着座位置が決定したら、（ホ）の様に下肢３１を広げ、足底２８を前方に向かって逆ハの字に開き、しっかりと踏ん張って着座する。（ホ）から、大腿部内側の付け根付近３５が隆起部１０によって押さえられ、男性生殖器３６への圧迫が緩和されているのが分かる。（ヘ）はその側面図である。又、補助椅子ａの底面湾曲部１６の中心でバランスを取りながら着座することも可能である。
【００１７】図５（イ）は本発明を使用する為の平面座部の椅子２５に座布団３７を置いて、使用者２７が下肢３１を開脚し、足底２８を地面に付け、骨盤３８を後湾させて着座している側面図である。（ロ）はその椅子２５に補助椅子ａを置いて、使用者２７が補助椅子ａを跨ぎ、足底２８を地面に付け、骨盤３９を後湾させて着座している側面図であり、（ハ）はその正面図である。図５では、その違いについて下記の様に説明する。
【００１８】使用者が（イ）の様な姿勢で着座すると、骨盤３８は後湾し、それに伴い尾骨４０、仙骨４１、脊柱４２も後湾する。その為、体幹上体の加重は、尾骨４０、坐骨周辺４３、下部の腰椎４４や椎間板４５、大腿部後側４６に掛かる。その結果、この様な姿勢を長時間、長期間続けると、腰部４７や尾骨４０に対しての負担が増加し、自身の持つ脊柱の生理的湾曲が徐々に後湾した状態に変化していく可能性がある。次に使用者２７が（ロ）の様な姿勢で着座すると、骨盤３９は後湾し、補助椅子ａの前方は浮き上がり、それに伴い、大腿部４８も浮き上がる。使用者２７は、着座姿勢を保つ為に後方へ倒れようとする上体を前方へ傾ける。すると、（ハ）脊柱４２の後湾と背筋４９の伸展は、非常に大きくなり、それに伴い、腹筋５０の収縮も非常に大きくなる。その結果、使用者２７は、腹筋５０に対して負担の少ない前傾姿勢図４（ヘ）へ戻り易い。
【００１９】図６、図７、図８は本発明を実施する為の更に他の形態を示すものである。
【００２０】図６の補助椅子１ａは図１（ハ）と同様な形状と機能である為、図１（ハ）の図を補助椅子ａと補助椅子１ａとで共に使用する。（イ）は補助椅子１ａ図１（ハ）のＡ−Ａ方向矢視断面図であり、（ロ）は補助椅子１ａ図１（ハ）のＢ−Ｂ方向矢視断面図である。
【００２１】補助椅子ａの軽量化は座部構成部１の厚みを変え、補助椅子ａの内部を空洞化する事で可能になり、（イ）１９は内部の空洞１９である。しかし、空洞化に伴い座部構成部２の材質によっては、使用者２７の体幹上体の加重により、座部構成部２が変形する可能性がある。その為、空洞１９の内部に座部構成部２を支える支柱２０を入れる。支柱２０は、座部構成支持部５と同じ素材であり、空洞１９の内部で座部構成部２と座部構成支持部５に結合している。又、支柱２０の数や形は、適宜変更可能とする。
【００２２】図７は本発明の補助椅子を実施する為の更に別の形態を示すもので、補助椅子ａの沈降部を設けない形態の補助椅子ｂである。（イ）は補助椅子ｂが前傾しきっている上方図、（ロ）は（イ）のＣ−Ｃ方向矢視断面図、（ハ）は（イ）のＤ−Ｄ方向矢視断面図である。
【００２３】補助椅子ｂは、主に生殖器への圧迫が少ない女性が使用する為のものである。補助椅子ｂの前方に在る隆起部は、側方から補助椅子ｂの前方中央に向かってなだらかに隆起している。その他、補助椅子ｂを実施する為の最良の形態についての説明は、上記（０００７）〜（００１３）の説明から、沈降部の説明を省いたものと同様である。
【００２４】図８の補助椅子１ｂは図７（イ）と同様な形状と機能である為、図７（イ）の図を補助椅子ｂと補助椅子１ｂとで共に使用する。（イ）は補助椅子１ｂ図７（イ）のＣ−Ｃ方向矢視断面図、（ロ）は補助椅子１ｂ図７（イ）のＤ−Ｄ方向矢視断面図である。
【００２５】補助椅子ｂの軽量化については、上記（００２１）の補助椅子ａの軽量化の方法と同様である。
【００２６】本発明の椅子用姿勢改善補助椅子は、使用者が選択した位置で着座した時、着座位置がずれない様に、又、椅子の上に補助椅子を置いた時に向きがずれない様に、又、前方ストッパー部１７と後方ストッパー部１８の働きをより高める為、表面全体に滑り止めが施されている。又、補助椅子は、より安全性を高める為、全ての角に対して面取りが施されている。その為、全体が丸みを帯びた形状になる。尚、本発明の補助椅子の大きさは、個人により人寸が異なる為、要旨を逸脱しない範疇で種々変更可能である事は勿論である。又、この補助椅子は、様々なタイプの椅子の座部としても応用可能である。
【図面の簡単な説明】
【００２７】
【図１】本発明の椅子用姿勢改善補助椅子を実施する為の一形態を示すもので、（イ）は（ハ）のＡ−Ａ方向矢視断面図、（ロ）は（ハ）のＢ−Ｂ方向矢視断面図、（ハ）は椅子用姿勢改善補助椅子ａが前傾しきっている上方図である。
【図２】本発明の補助椅子ａを様々な角度から描いた図で、（イ）は側面図、（ロ）は前傾しきっている正面図、（ハ）は前傾しきっている斜視図である。
【図３】本発明の補助椅子ａが平面座部の椅子の上で前傾しきった時の座面部の角度を２１、２２、２３の点で比較したものである。
【図４】本発明の補助椅子ａの使用例を示すもので、（イ）は補助椅子ａの中央に下肢を閉じて着座している側面図、（ロ）は補助椅子ａの前方に下肢を閉じて着座している側面図、（ハ）は補助椅子ａの後方に下肢を閉じて着座している側面図、（ニ）は補助椅子ａの中央に下肢を閉じて着座している正面図、（ホ）は補助椅子の中央に開脚して着座している正面図、（ヘ）は補助椅子ａの中央に開脚して着座している側面図である。
【図５】平面座部の椅子上にそれぞれ座布団と補助椅子ａを置き、骨盤を後湾させて着座した場合を示すもので、（イ）は平面座部の椅子上に座布団を置き、骨盤を後湾させて着座している側面図、（ロ）は補助椅子ａを後傾し、骨盤を後湾させて着座している側面図、（ハ）は（ロ）の正面図である。
【図６】本発明の補助椅子ａの軽量化した形態を示すもので、（イ）は補助椅子１ａ図１（ハ）のＡ−Ａ方向矢視断面図、（ロ）は補助椅子１ａ図１（ハ）のＢ−Ｂ方向矢視断面図である。
【図７】本発明の補助椅子を実施する為の更に別の形態を示すもので、（イ）は補助椅子ｂが前傾しきっている上方図、（ロ）は（イ）のＣ−Ｃ方向矢視断面図、（ハ）は（イ）のＤ−Ｄ方向矢視断面図である。
【図８】本発明の補助椅子ｂの軽量化した形態を示すもので、（イ）は補助椅子１ｂ図７（イ）のＣ−Ｃ方向矢視断面図、（ロ）は補助椅子１ｂ図７（イ）のＤ−Ｄ方向矢視断面図である。
【符号の説明】
【００２８】  ａ…椅子用姿勢改善補助椅子
ｂ…沈降部を設けない補助椅子
１ａ…軽量化した補助椅子
１ｂ…沈降部を設けない軽量化した補助椅子
１…座部構成部
２…軽量化した座部構成部
３…沈降部を設けない座部構成部
４…沈降部を設けない軽量化した座部構成部
５…座部構成支持部
６…座面部
７…沈降部
８…沈降部底面部
９…沈降部側面部
１０…隆起部
１１…大腿部後側乗部
１２…前縁部
１３…前方部
１４…後方部
１５…側面部
１６…底面湾曲部
１７…前方ストッパー部
１８…後方ストッパー部
１９…空洞
２０…支柱
２１…図３（イ）補助椅子ａの座面部上の点
２２…図３（イ）補助椅子ａの座面部上の点
２３…図３（イ）補助椅子ａの座面部上の点
２４…平面座部の椅子の座面部
２５…本発明を使用する為の椅子
２６…本発明を使用する為の椅子の座部
２７…使用者
２８…足底
２９…本発明を使用する為の椅子の前縁部
３０…臀部
３１…下肢
３２…図４（イ）の骨盤
３３…図４（ロ）の骨盤
３４…図４（ハ）の骨盤
３５…大腿部内側の付け根付近
３６…男性生殖器
３７…座布団
３８…図５（イ）の骨盤
３９…図５（ロ）の骨盤
４０…尾骨
４１…仙骨
４２…脊柱
４３…坐骨周辺
４４…下部の腰椎
４５…下部腰椎の椎間板
４６…大腿部後側
４７…腰部
４８…大腿部
４９…背筋
５０…腹筋
Ｅ…図３（イ）補助椅子ａの座面部上の点２１を頂点とする接線
Ｆ…図３（イ）補助椅子ａの座面部上の点２２を頂点とする接線
Ｇ…図３（イ）補助椅子ａの座面部上の点２３を頂点とする接線
Ｘ…接線Ｅと座面部２４との角度
Ｙ…接線Ｆと座面部２４との角度
Ｚ…接線Ｇと座面部２４との角度
【要約】      （修正有）【課題】座布団の様に椅子の上に置いて使用する事で下肢の開脚を促し、生殖器や尾骨への圧迫を緩和しながら骨盤の前湾を導き、尾骨、坐骨周辺、下部の腰椎や椎間板、大腿部後側へ掛かる体幹上体の加重をバランス良く下肢へ分散させる事で下肢を鍛え、腰や尾骨に掛かる負担を減らし、日常的に椅子の上に置いて使用し続ける事で、徐々に姿勢を改善していく。【解決手段】凹状に湾曲させた座面部６の前方中央を後方中央にかけて帯状に沈降させ、座面部６の前方には、側方から沈降部７へ向かってなだらかに隆起する隆起部１０を設け、隆起部１０の裾野付近に、前斜方へ向かいなだらかに傾斜する扇状の傾斜面を設ける。これらの構成要素を備えた座部構成部の底面中央に設けた凸状湾曲部１６の延長線上の前後に平面から成る前方ストッパー部１７と後方ストッパー部１８を設ける。これらの構成要素を備え、座部構成部を下から支える座部構成支持部を一体に結合させる。【選択図】図２【図１】
0003988169.tif 000002
【図２】
0003988169.tif 000003
【図３】
0003988169.tif 000004
【図４】
0003988169.tif 000005
【図５】
0003988169.tif 000006
【図６】
0003988169.tif 000007
【図７】
0003988169.tif 000008
【図８】
0003988169.tif 000009